(57)【要約】【課題】玉の研磨を低コストで行え、またその実施を小規模に行える技術を提供する。【解決手段】１台の遊技機内で玉の循環を実現することにより、遊技機が独立状態で遊技を実行できるようにする遊技機補助装置は、ガイドを備える。ガイドは平行に配された４本の棒状体により構成され、その内側の案内スペースを玉が通過する。ガイドに、研磨具５００が取付けられる。研磨具５００は第１部材５１０と第２部材５２０からなり、断面コの字形状に形成されその内側に不織布である研磨材５１３が設けられた第１部材５１０の内側にガイドを収めた状態で第１部材５１０と第２部材５２０を固定してガイドに取付けられる。研磨材５１３は、ガイドに研磨具５００が固定されたときに棒状体の隙間から案内スペースに入り込み、そこを通過する玉を研磨する。【選択図】図１０
2007160020.tif 000002
【特許請求の範囲】
【請求項１】
少なくとも３本の棒状体が平行に配されることで、その内側に遊技用の玉を通過させるためのスペースである案内スペースが設けられており、その案内スペースを前記玉が前記棒状体のそれぞれに当接しながら前記棒状体の長さ方向に移動できるようにされている移送路に対して着脱自在に取付けることのできる研磨具であって、
前記研磨具が前記移送路に対して取付けられたときに、前記棒状体のうちの隣接するもの同士の隙間の少なくとも１つから前記案内スペースに入り込んで前記案内スペースを通過する玉に当接するものであり、それに当接しながら前記案内スペースを通過する玉を研磨する研磨手段を備えている、
研磨具。
【請求項２】
前記研磨具が前記移送路に対して取付けられた場合における前記研磨手段の前記棒状体の長さ方向に対応する長さは、前記移送路に複数の研磨具を取付けられる程度に前記移送路の長さよりもかなり短くされているとともに、
前記研磨具を前記移送路に対して幾つ取付けるかによって、前記研磨手段による前記玉の研磨の程度を変更できるようにされている、
請求項１記載の研磨具。
【請求項３】
前記移送路が、前記棒状体の相互の位置関係を固定する、前記棒状体のすべてと固定されたスペーサーを、前記棒状体の長さ方向における適当な部分に複数備えているものとされており、
前記研磨具は、隣接する前記スペーサーの間に位置するようにして前記移送路に対して取付けられるようにされている、
請求項１又は２記載の研磨具。
【請求項４】
前記移送路は縦方向に伸びるようにされているとともに、
前記研磨具は、前記移送路に対して挟み込むような状態で取付けられるものであり、且つその下端をその直下に位置するスペーサーにより係止されることで前記棒状体の長さ方向に対する位置決めがなされるようになっている、
請求項３記載の研磨具。
【請求項５】
前記研磨手段は、不織布である、
請求項１記載の研磨具。
【請求項６】
少なくとも３本の棒状体が平行に配されることで、その内側に遊技用の玉を通過させるためのスペースである案内スペースが設けられており、その案内スペースを前記玉が前記棒状体のそれぞれに当接しながら前記棒状体の長さ方向に移動できるようにされている移送路と、その移送路の一方側から玉を順次送り込む駆動手段と、前記移送路に対して着脱自在に取付けることのできる研磨具と、を含んでなり、所定の遊技機と組合わせて用いられる玉移送システムであって、
前記研磨具は、それが前記移送路に対して取付けられたときに、前記棒状体のうちの隣接するもの同士の隙間の少なくとも１つから前記案内スペースに入り込んで前記案内スペースを通過する玉に当接するものであり、それに当接しながら前記案内スペースを通過する玉を研磨する研磨手段を備えている、
玉移送システム。
【請求項７】
玉を一時的に貯留する上皿と、前記上皿から導かれた玉を発射する発射装置と、前記発射装置により発射された玉によりパチンコ遊技を実行するようにされている遊技部と、前記遊技の結果生じた外れ玉である玉を排出する外れ玉排出口と、前記遊技の結果生じた賞球である玉を排出する賞球排出口と、を有する遊技機一台と組合わせて用いられる遊技機補助装置であって、
前記遊技機を固定することのできるようにされている移動可能とされた本体部を備えているとともに、
前記本体部には、
前記本体部に固定された前記遊技機の前記外れ玉排出口、及び前記賞球排出口からそれぞれ排出された玉が導かれて、それら玉を一時的に貯留する第１玉溜めと、前記第１玉溜めに貯留された前記玉を前記本体部に固定された前記遊技機の前記上皿に導く玉移送機構とが設けられており、
前記遊技機との間で玉を循環させることにより、前記遊技機が継続的に遊技を実行できるようになっており、
且つ前記玉移送機構の少なくとも一部が、請求項６記載の前記玉移送システムにより構成されている、
遊技機補助装置。
【発明の詳細な説明】
【技術分野】
【０００１】
本発明は、パチンコ遊技機（本願では、パチンコ遊技機を単に「遊技機」という場合がある。）で用いられる玉を研磨するための技術に関する。
【背景技術】
【０００２】
パチンコ遊技機によるパチンコ遊技（本願では、パチンコ遊技を単に「遊技」という場合がある。）を実現する場合には、玉の研磨が不可欠である。玉には何らかの原因により汚れが付着するが、それを放置すると、多数の玉が通過するパチンコ遊技機の盤面が瞬く間に汚れ、非常に見苦しい状態になってしまう。このようなことを防止するため、玉の研磨が不可欠になるのである。
【０００３】
パチンコ遊技機は、一般に、店舗で使用される場合には、島と呼ばれる巨大な構造物に固定される。島は、遊技機を取付けるための棚状の構造物であり、遊技機はそこに横並びの状態で多数取付けられる。島には、また、隣合った遊技機の間に挟まれるようにして、多数の玉貸し機が取付けられ、そこから遊技機への玉の供給が可能にされる。
島には、更に、店舗の所定の場所に設置された貯玉設備から各遊技機、各玉貸し機に玉を流すための上樋と、各遊技機で遊技が実行された結果発生した外れ玉を上述した貯玉設備に流すための下樋が設けられる。
このような大規模な設備を有する店舗では、下樋を通じて各遊技機から集められた極めて多数の玉に対して、上樋に玉を戻すに先立って、一括して研磨を行うようにしている。このような場合に用いられる玉の研磨のための装置は、玉の研磨の効率を高める等の理由により、極めて大規模なものとされている。
【０００４】
しかしながら、玉の研磨のために大規模な設備を準備するには、大きなスペースが必要である、コストが高くなりがちであるといった不具合がある。
本願発明者は、近年、島を含めた大規模な設備なしに遊技機を稼動させられる店舗について研究しているが、大規模な設備なしに遊技機を稼動させられる店舗においては、上述の如き大掛かりな玉の研磨のための設備は好ましくない。
【発明の開示】
【発明が解決しようとする課題】
【０００５】
そこで、本発明は、玉の研磨を低コストで行え、またその実施を小規模に行える技術を提供することをその課題とする。
【課題を解決するための手段】
【０００６】
本願発明者は、上述の課題を解決するために以下の発明を提案する。
本願発明は、少なくとも３本の棒状体が平行に配されることで、その内側に遊技用の玉を通過させるためのスペースである案内スペースが設けられており、その案内スペースを前記玉が前記棒状体のそれぞれに当接しながら前記棒状体の長さ方向に移動できるようにされている移送路に対して着脱自在に取付けることのできる研磨具である。
そして、この研磨具は、前記研磨具が前記移送路に対して取付けられたときに、前記棒状体のうちの隣接するもの同士の隙間の少なくとも１つから前記案内スペースに入り込んで前記案内スペースを通過する玉に当接するものであり、それに当接しながら前記案内スペースを通過する玉を研磨する研磨手段を備えている。
このような研磨具は、３本以上の棒状体の組合わせによって構成される上述の如き移送路に対して取付けるだけで用いられる。玉の移送は、遊技機の周辺、或いは島を用いる場合であれば島の周辺の至るところで行われるので、玉の移送の行われる部分のうちの適当な範囲を上述の如き移送路にて構成し、そこに上述の如き研磨具を取付けることにすれば、玉の研磨のための大規模な設備を用いずとも玉の研磨を行えるようになる。また、このような研磨具は、従来の玉の研磨設備と比べれば非常に小さく、また、玉の研磨を行うための可動部を必ずしも設けなくともよいので、そのコストを低く抑えることも容易である。
本発明における研磨手段は、織布、不織布などとすることができる。
【０００７】
本発明の研磨具の大きさ、構成は、移送路に対して着脱自在に固定でき、また上述のような研磨手段を備えているのであれば、その大きさ、構成には特に制限はない。
また、研磨手段の構成も、棒状体のうちの隣接するもの同士の隙間の少なくとも１つから案内スペースに入り込んで案内スペースを通過する玉に当接するものであり、それに当接しながら案内スペースを通過する玉を研磨することができる限り、その構成について特に制限がない。
本発明では、例えば、前記研磨具が前記移送路に対して取付けられた場合における前記研磨手段の前記棒状体の長さ方向に対応する長さは、前記移送路に複数の研磨具を取付けられる程度に前記移送路の長さよりもかなり短くされているとともに、前記研磨具を前記移送路に対して幾つ取付けるかによって、前記研磨手段による前記玉の研磨の程度を変更できるようにされていてもよい。このような研磨具であれば、研磨の能力を必要に応じて変更できるという利益があるが、以下のような利益も期待できる。即ち、移送路内の玉の移送は通常、傾斜が与えられた移送路内を自発的に玉が転がっていくこと、或いは、何らかの駆動力によりその移送路内に強制的に順次送込まれた玉が押出されていくことにより実現される。この場合、玉に当接する研磨手段の数が多すぎると研磨手段が玉に与える摩擦力が大きくなるので、移送路の傾斜の程度や駆動力の大きさとの兼ね合いになるが、玉の移送を行えなくなることも起こり得る。したがって、研磨具を、移送路に対して取付けられる数を変更可能な上述のようなものとすれば、研磨手段が玉に与える摩擦力をも変更できることになるので、玉の移送を行えなくなるということを防止できるという利益も場合により得られる。
なお、研磨具が移送路に対して取付けられた場合における研磨手段（或いは研磨具）の棒状体の長さ方向に対応する長さは、研磨具を移送路に対して少なくとも５個取付けられる程度に短くすることができる。
【０００８】
本発明の研磨具が取付けられる移送路は、上述のように、３本以上の棒状体により構成されており、棒状体のうちの隣接するもの同士の隙間の少なくとも１つから、研磨具の研磨手段を案内スペースに入り込ませることができ、それにより案内スペースを通過する玉に研磨手段を当接させられるようなものであれば、その詳細な構成には特に制限はない。
本発明の移送路は、例えば、前記棒状体の相互の位置関係を固定する、前記棒状体のすべてと固定されたスペーサーを、前記棒状体の長さ方向における適当な部分に複数備えているものとされていてもよい。この場合、前記研磨具は、隣接する前記スペーサーの間に位置するようにして前記移送路に対して取付けられるようにされていてもよい。更に、移送路に対して取付けられた場合における研磨具の移送路の長さ方向の長さは、隣合うスペーサー間の長さに略一致していてもよい。
前記移送路は縦、横、斜め、どのような方向に延びるものであってもよい。
移送路が縦方向に伸びるようにされている場合、前記研磨具は、前記移送路に対して挟み込むような状態で取付けられるものであり、且つその下端をその直下に位置するスペーサーにより係止されることで前記棒状体の長さ方向に対する位置決めがなされるようになっていてもよい。
【０００９】
本願の発明者は、また、少なくとも３本の棒状体が平行に配されることで、その内側に遊技用の玉を通過させるためのスペースである案内スペースが設けられており、その案内スペースを前記玉が前記棒状体のそれぞれに当接しながら前記棒状体の長さ方向に移動できるようにされている移送路と、その移送路の一方側から玉を順次送り込む駆動手段と、前記移送路に対して着脱自在に取付けることのできる研磨具と、を含んでなり、所定の遊技機と組合わせて用いられる玉移送システムを提案する。この玉移送システムにおける前記研磨具は、それが前記移送路に対して取付けられたときに、前記棒状体のうちの隣接するもの同士の隙間の少なくとも１つから前記案内スペースに入り込んで前記案内スペースを通過する玉に当接するものであり、それに当接しながら前記案内スペースを通過する玉を研磨する研磨手段を備えている。
【００１０】
本願の発明者は、また、玉を一時的に貯留する上皿と、前記上皿から導かれた玉を発射する発射装置と、前記発射装置により発射された玉によりパチンコ遊技を実行するようにされている遊技部と、前記遊技の結果生じた外れ玉である玉を排出する外れ玉排出口と、前記遊技の結果生じた賞球である玉を排出する賞球排出口と、を有する遊技機一台と組合わせて用いられる遊技機補助装置を提案する。この遊技機補助装置は、島がなくとも遊技機での遊技を実現するものである。
そして、遊技機補助装置は、前記遊技機を固定することのできるようにされている移動可能とされた本体部を備えているとともに、前記本体部には、前記本体部に固定された前記遊技機の前記外れ玉排出口、及び前記賞球排出口からそれぞれ排出された玉が導かれて、それら玉を一時的に貯留する第１玉溜めと、前記第１玉溜めに貯留された前記玉を前記本体部に固定された前記遊技機の前記上皿に導く玉移送機構とが設けられており、前記遊技機との間で玉を循環させることにより、前記遊技機が継続的に遊技を実行できるようになっている。この遊技機補助装置の前記玉移送機構の少なくとも一部が、上述した玉移送システムによって構成されている。
【発明を実施するための最良の形態】
【００１１】
以下に、本発明を実施するための最良の一実施形態を、図面を参照しつつ説明する。
本発明による玉移送システムは、後述する遊技機補助装置に組込まれているが、この実施形態の説明では、まず、遊技機補助装置と組合わせて用いられる遊技機１００の構成から説明することにする。遊技機１００を、図１に示す。図１は遊技機１００の透視図を含む正面図である。
【００１２】
この遊技機１００は、必ずしもそうである必要はないが、一般店舗で使用されている市販のパチンコ遊技機である。
その概略的な構成について説明する。
【００１３】
遊技機１００は、遊技盤１１０を有する。遊技盤１１０は、パチンコ遊技が実行される部分であり、ガラス板と、その背後にある多数の釘が打設された盤面とを有している。
【００１４】
遊技機１００は、また、上皿１２０と下皿１３０とを有している。
上皿１２０は、凹部１２１を有している。凹部１２１は、図２の平面図に示したような右側に向かって細くなるようなテーパーを有しており、また、図１における左から右方向にかけて下り傾斜を有するようにされている。また、凹部１２１の右端近辺の幅は、玉の直径と略同じ幅となるようになっている。
凹部１２１の左端には、凹部１２１に臨むようにして賞球排出口１２２が設けられている。賞球排出口１２２は、遊技の結果生じた賞球を上皿１２０に導く開口である。賞球は遊技機１００の内部から、賞球排出口１２２を介して上皿１２０に排出される。賞球がどこから、どのようにして供給されるかについては後述する。上皿１２０の凹部１２１の図１、図２における右端には、孔１２３が設けられている。この孔１２３は、案内路１２４に連なっている。案内路１２４は、略玉一つ分の直径を有する縦孔である。
このような上皿１２０の構成により、賞球排出口１２２を介して上皿１２０の凹部１２１に排出された玉は、凹部１２１の傾斜により、凹部１２１の内部を図１、２における左側から右側に転がっていき、凹部１２１の右端近辺の細くなった部分で一列に整列して、孔１２３から案内路１２４の中に順に落ち込んでいく。
案内路１２４は、その下端で、遊技機１００に内蔵されている発射装置１２５と接続されている。発射装置１２５は遊技盤１１０に玉を発射する装置である。なお、遊技機１００の発射装置１２５は一般的に、１分間に１００発の玉を発射できるようになっている。発射装置１２５は、遊技機１００正面の右下部分に設けられているハンドル１２６の操作により、案内路１２４を経て発射装置１２５に導かれた玉の発射を行うＯＮ状態と、玉の発射を行わないＯＦＦ状態を切換えられるようになっている。
下皿１３０は、箱状に形成され、上側が開口となっている。下皿１３０は、上述する上皿１２０と連通路１３１で結ばれている。連通路１３１は、賞球排出口１２２と、遊技機１００の内部で連結されている。上皿１２０の凹部１２１に玉が多くあるために賞球排出口１２２から上皿１２０の凹部１２１に排出し切れなかった賞球が発生した場合、上皿１２０に排出し切れなかった賞球は、連通路１３１を介して下皿１３０に導かれるようになっている。
下皿１３０の下方（この実施形態では、下面）には、落下孔１３２が設けられている。この落下孔１３２は、この実施形態では、遊技者の操作によって開閉自在になっている。なお、下皿１３０には、落下孔１３２の開閉動作を行うためのスイッチが設けられているが、図面ではその記載を省略している。なお、この落下孔１３２は、開状態で固定されていても構わない。
【００１５】
遊技盤１１０の最下方には、外れ玉取入口１１１がある。遊技盤１１０で行われた遊技の結果、いずれの入賞口にも入らずに遊技盤１１０の最下方に至った玉は外れ玉となり、外れ玉取入口１１１から遊技盤１１０の内部に取込まれる。外れ玉取入口１１１は、遊技盤１１０の裏面（図１における紙面の奥側）に開けられた外れ玉排出口１１２（図３を参照のこと。）に、外れ玉移送管１１３によって接続されている。外れ玉移送管１１３には、外れ玉取入口１１１から外れ玉排出口１１２に向かう僅かな下り傾斜が与えられており、それゆえ外れ玉取入口１１１に入った外れ玉は、外れ玉排出口１１２に向かって重力に引かれて外れ玉移送管１１３内を転がり落ちていく。
【００１６】
遊技機１００の背面側には、図示を省略の賞球補給口が設けられている。賞球補給口は、上述の賞球排出口１２２と所定の管（一般的には、蛇腹管である。）と結ばれている。賞球は、賞球補給口から遊技機１００に入り、所定の管を通って賞球排出口１２２から出ることになる。
【００１７】
以上のような遊技機１００を、遊技機補助装置に取付けるのであるが、その取付けには、図４の斜視図に示したような枠体２００を用いる。
この実施形態の枠体２００は、金属製である。枠体２００は、４枚の板状の部材を矩形に組合わせてなる。枠体２００を作る上下左右の各部材の幅、厚さは、この実施形態では等しくされている。
枠体２００の内側の空間に、遊技機１００が嵌め込まれ固定される。かかる遊技機１００の枠体２００に対する固定は、適当な従来技術を用いて行うことができる。例えば、釘や、ボルトを用いてこの固定を行える。
【００１８】
次に、本実施形態における遊技機補助装置３００の構成を、図５〜図１７を用いて説明する。
図５は、遊技機補助装置３００を右斜め前方から見た状態を示す斜視図、図６は、遊技機補助装置３００を左斜め前の上方から見た状態を示す斜視図、図７は遊技機補助装置３００を左斜め後方から見た状態を示す斜視図である。
なお、図５〜図７では、遊技機補助装置３００に、遊技機１００を取付けていない状態の枠体２００を固定した状態を示す。また、この実施形態における遊技機補助装置３００の「前方」という語は、遊技機補助装置３００に遊技機１００を固定した場合における遊技機１００の前方に一致する方向を意味するものとする。
【００１９】
遊技機補助装置３００は、本体部３１０に種々の部品を取付けて構成されている。
【００２０】
本体部３１０は、縦方向に伸びる２本の縦部材３１１と、２本の縦部材３１１に水平に渡された横部材３１３、３１４、３１５を備えて構成されている。これら横部材３１３、３１４、３１５はいずれも、２本の縦部材３１１を連結する機能を有している。横部材３１３、３１４、３１５はいずれも、板状に形成されている。縦部材３１１の上端を連結している横部材３１３は、その広い面が垂直になるように、縦部材３１１の中程を連結している横部材３１４と、縦部材３１１の下端を連結している横部材３１５は、その広い面が水平になるような向きとされている。
横部材３１３は、その上部で縦部材３１１に対してヒンジ接続されており、その上端を軸として、その下端を前方にせり出させつつ上方向に回動させられるようになっている。かかるヒンジ接続により横部材３１３の先端を持上げて、横部材３１３の背後を露出させられるようにしているのは、横部材３１３の背後にある後述する着脱機構を操作できるようにするためである。
横部材３１５の両端には、遊技機補助装置３００の前後方向に伸びる棒状の脚部材３１５Ａが設けられている。これは、遊技機補助装置３００の安定した直立状態を維持するためのものである。２つの脚部材３１５Ａの両端部の下方には、キャスター３１５Ｂが設けられている。このキャスター３１５Ｂは、（場合によっては、遊技機１００が取付けられた）遊技機補助装置３００の移動を容易にするためのものである。
【００２１】
横部材３１４の手前側には、横部材３１４よりも若干下側に位置するようにして、板状のテーブル３１６が、この実施形態では水平な状態で設けられている。テーブル３１６の上には、その上面が開放された略直方体形状の箱状に形成の玉受け３２０が設けられている。玉受け３２０の底面には、テーブル３１６の内部にまで達する孔３２１が設けられている。この孔３２１は、テーブル３１６の内部に内蔵され、横部材３１４の下を通るようにされた、断面略コの字型に形成の第１接続樋３２２の一端と連なっている。第１接続樋３２２の他端は、後述する第１玉溜め３３０の上方に臨まされている。なお、第１接続樋３２２は、その一端から他端にかけて、他端側が低くなるように傾斜している。
横部材３１４の背後の、テーブル３１６よりも下方には、テーブル３１６よりも幅の狭い小テーブル３１７が設けられている。小テーブル３１７の上には第１玉溜め３３０が設けられている。この第１玉溜め３３０は、玉を一時的に貯留する機能を有している。
横部材３１４の後ろ側の、第１玉溜め３３０の上方には、上面が開放された箱状の外れ玉受け３４０が設けられている。外れ玉受け３４０は、遊技機補助装置３００に遊技機１００が取付けられた場合に、当該遊技機１００が備える上述した外れ玉排出口１１２の直下に位置するようになっており、外れ玉排出口１１２から落下してくる玉を受入れられるようにされている。また、外れ玉受け３４０の下方には、外れ玉受け３４０内に溜まった玉を下方に落下させるための筒状の落下筒３４１が設けられている。落下筒３４１の下端は、第１玉溜め３３０の上方に位置されるようにされており、外れ玉受け３４０から落下筒３４１を介して落下した玉は、第１玉溜め３３０に受入れられるようになっている。
【００２２】
第１玉溜め３３０の、遊技機補助装置３００の背面側から見て右隣には、第１玉溜め３３０内に溜まった玉が導かれるようにされた玉揚げ機構３５０が設けられている。玉揚げ機構３５０は、また、ガイド３５１と接続されている。
ガイド３５１は、本発明の移送路に相当するものである。ガイド３５１は、この実施形態では基本的に上下方向に直線的に延びているが、その先端は後述するように曲折している。
玉揚げ機構３５０は、第１玉溜め３３０から受付けた玉をガイド３５１の内側の空間に１つずつ押込んで、玉を上方に押し上げる機能を有している。ガイド３５１は、その長さ方向に玉を案内できるように構成されている。なお、ガイド３５１の構成の詳細については後述する。玉揚げ機構３５０は、例えば、玉を１つだけ受入れることのできる凹部をその周囲に複数有し、一方向のみに回転するようになっている歯車状の部品（図示を省略する。）を備えており、その凹部に玉を受入れたその部品を回転させ、ガイド３５１の内部でその玉を放すことで、第１玉溜め３３０から受け取った玉をガイド３５１の内側の空間に１つずつ送り込めるようにされている。玉は、ガイド３５１の下端からガイド３５１内に１つずつ押込まれ、ガイド３５１内の空間を、連ねられた状態で押し上げられていく。
【００２３】
ここで、ガイド３５１の構成について詳述する。
ガイド３５１は、少なくとも３本の棒状体を平行に並べることにより構成されている。玉は、棒状体の内側のスペースである案内スペースの中を、棒状体のそれぞれに当接しながら通過するようにされる。この実施形態におけるガイド３５１は、より詳細には、図８の斜視図に示したように４本の断面円形の棒状体３５１Ａによって構成されている。
ガイド３５１は、その長さ方向の所定の位置に複数のスペーサー３５１Ｂを備えている。なお、図５〜図７ではスペーサー３５１Ｂの記載を省略している。
このスペーサー３５１Ｂは、図９に示したように、ドーナツ形状の板の４つの位置に略丸い孔３５１ｂを穿った構成とされている。４つの孔３５１ｂの中心は、それらのうちの隣接するもの同士を結ぶと正方形となるような位置関係となるようにされている。４つの孔３５１ｂの内側に棒状体３５１Ａを通し、棒状体３５１Ａとスペーサー３５１Ｂとを、例えばロウ付けにより固定することで、４本の棒状体３５１Ａの相対的な位置関係が固定されるようになっている。なお、孔３５１ｂはドーナツ形状の板の中心の孔と僅かに接触しているので、４本の棒状体３５１Ａはスペーサー３５１Ｂの中央の孔に僅かに露出する。したがって、スペーサー３５１Ｂは、案内スペースを通過する玉と、干渉しないようになっている。
スペーサー３５１Ｂは、必ずしもその限りではないが、この実施形態では、ガイド３５１の長さ方向に沿って等間隔で設けられている。スペーサー３５１Ｂはまた、この実施形態では、ガイド３５１の直線的な部分に１５個設けられている。スペーサー３５１Ｂの数は、適当に決めることができるが、例えば、１０個〜２０個の範囲で決定することができる。
【００２４】
ガイド３５１には、研磨具５００を取付けられるようになっている。
この実施形態における研磨具５００は、図１０の斜視図に示したように構成されている。研磨具５００は、第１部材５１０と第２部材５２０とを備えている。
第１部材５１０は、板状体を断面略コの字型に成形してなる本体部５１１の両端に、矩形の板状のスリーブ５１２を設けてなる。本体部５１０の内側部分の断面形状は、スペーサー３５１Ｂのない部分のガイド３５１がその内側部分にちょうど収められる程度とされている。また、第１部材５１０の長さは、この実施形態では、ガイド３５１に対して等間隔とされている隣合うスペーサー３５１Ｂ間の間隔よりも若干短い長さとされている。また、本体部５１１の内側には、断面が略馬の背状とされている研磨材５１３が設けられている。研磨材３５１は、本体部５１０の長さ方向の全域に設けられている。研磨材５１３は、この実施形態では、不織布であり、それを断面馬の背状に成形したものとされている。もっとも、研磨材５１３は、例えば、織布であっても構わず、また、その内部に、その断面形状を馬の背形状等の所定の形状に保つための弾性体を備えていても構わない。両スリーブ５１２の長さ方向の端部付近には、内側がネジ切りされた孔５１４が穿たれている。スリーブ５１２は、第１部材５１０と第２部材５２０の着脱自在な固定をなすためのものである。
第２部材５２０は、矩形の板であり、その大きさ形状は、第２部材５２０をスリーブ５１２に臨ませるようにしながら第１部材５１０と組合わせた場合に、２つのスリーブ５１２を丁度隠すようなものとされている。第２部材５２０のスリーブ５１２に設けられた孔５１４と対応する４つの位置には、内側がネジ切りされた孔５２１が設けられている。第１部材５１０と第２部材５２０とを、第１部材５１０の本体部５１１の内側にガイド３５１を収めた状態で、第１部材５１０のスリーブ５１２と第２部材５２０が当接するようにして組合わせ、対応した状態にある孔５１４及び孔５２１をまとめてネジにより貫通させることにより、第１部材５１０と第２部材５２０とを固定させることができる。このようにすることで、研磨具５００はガイド３５１に固定できるようにされている。研磨具５００をガイド３５１に固定した状態を、図１１に示す。なお、この状態で、研磨具５００と、ガイド３５１は完全に固定されてはいない（研磨具５００は、外力を加えればガイド３５１の長さ方向にスライドさせられるようになっている。）が、研磨具５００は、その直下にあるスペーサー３５１Ｂに当接しそこで係止される。
なお、第１部材５１０と第２部材５２０の固定は、ネジを用いずとも、例えば、バンド等の締結、或いはワンタッチクランプのような、公知の構成を応用して、いわゆるワンタッチでそれを行えるようにすることもできる。
研磨具５００は、この実施形態では、ガイド３５１の隣接するスペーサー３５１Ｂの間に固定できるようにされている。また、研磨具５００は、玉に対する研磨をどの程度行うか、或いは、玉揚げ機構３５０の玉を押上げる能力がどの程度かという事情を考慮しながら、適当な数だけガイド３５１に取付けることができる。この実施形態では、ガイド３５１の直線的な部分に１５個のスペーサー３５１Ｂが設けられているので、その数よりも１つ少ない数がガイド３５１に取付けることのできる研磨具５００の数の上限となる。
【００２５】
ガイド３５１の研磨具５００が取付けられた部分の概略的な断面図を図１２に示す。
ガイド３５１に研磨具５００を取付けると、研磨具５００の研磨材５１３が、ガイド３５１を構成する４本の棒状体３５１Ａのうちの、図１２における右側の２本の間の隙間から案内スペースに入り込む。したがって、図１２で破線で示したように玉Ｔが、４本の棒状体３５１Ａのそれぞれに当接しながら案内スペースを通過するときに、玉Ｔと研磨材５１３が当接する（このとき、研磨材５１３は、玉Ｔにより押し退けられて、凹む。）。これにより、案内スペースを通過する玉Ｔの研磨材５１３による研磨が行われることになる。
なお、この実施形態では、研磨材５１３は４本の棒状体３５１Ａの隣接するもの同士が作る４つの隙間のうちの１箇所から案内スペースに入り込むようになっているので、研磨材５１３による玉Ｔの研磨は棒状体３５１Ａの隣接するもの同士が作る４つの隙間のうちの１箇所のみから行われるようになってているが、４つの隙間のうちの２箇所以上から、研磨材５１３による玉Ｔの研磨が行われるようにすることもできる。
例えば、図１３に示したように、第２部材５２０の内側（第１部材５１０側）の面にも第１部材５１０に設けられたのと同様の研磨材５１３を取付けることができる。また、図１４に示したように第１部材５１０を変形し、ともに研磨材５１３を有する２つの第１部材５１０によってガイド３５１を挟み込むようにすることができる。図１３、図１４に示したいずれの場合でも、４本の棒状体３５１Ａの隣接するもの同士が作る４つの隙間のうちの２箇所から、研磨材５１３による玉Ｔの研磨が行われるようになる。
【００２６】
ガイド３５１は、その上端近辺で、遊技機補助装置３００の前方に向かって緩やかに曲折されている。ガイド３５１内の空間を押し上げられてきた玉は、ガイド３５１の上端から落下するようになっている。
横部材３１３の背後の、ガイド３５１の先端から玉の落下する部分には、第２玉溜め３６０が設けられている。第２玉溜め３６０は、略直方体形状であり、その上面が開放された箱形形状とされている。第２玉溜め３６０の背後には、２つの玉供給部３６１、３６２が設けられている。
玉供給部３６１は、図示を省略の第１蛇腹管の一端と接続されている。玉供給部３６２は、第２蛇腹管３６２Ａの一端と接続されている。なお、第１蛇腹管、第２蛇腹管３６２Ａはいずれも、その形状を自由に曲折させられるようになっており、且つ任意の形状を維持できるようにされている。第１蛇腹管、第２蛇腹管３６２Ａの内径は、玉の直径よりも若干大きい程度の大きさとされている。玉供給部３６１、３６２はともに、第２玉溜め３６０内に溜まった玉を、それと接続された第１蛇腹管又は第２蛇腹管３６２Ａに送込む機能を有している。玉供給部３６１、３６２はそのような機能を有していれば特にその形状、構造に関する制限はない。玉供給部３６１、３６２は、第２玉溜め３６０に穿たれた単なる孔であってもよい。
【００２７】
その一端を玉供給部３６１に接続された第１蛇腹管の他端は、遊技機補助装置３００に遊技機１００が取付けられた場合に、遊技機１００の背面側に設けられた上述の賞球補給口に接続される。これにより、第２玉溜め３６０に溜まった玉は、遊技機１００内に導かれるようになっている。
その一端を玉供給部３６２に接続された第２蛇腹管３６２Ａは、図示せぬ孔から、背面側から遊技機補助装置３００を見た場合における右側の縦部材３１１の内部に挿入され、その他端側を遊技機補助装置３００の正面側から露出させられる。第２蛇腹管３６２Ａの他端は、遊技機補助装置３００に遊技機１００が取付けられた場合に、遊技機１００の上皿１２０内の凹部１２１に臨ませることができるようにされている。第２蛇腹管３６２Ａの他端を、遊技機１００の上皿１２０の凹部１２１に臨ませることにより、第２玉溜め３６０に溜まった玉は、遊技機１００の上皿１２０に導かれるようになっている。なお、第２蛇腹管３６２Ａの先端を、凹部１２１の底面から、玉の直径の１〜２倍程度の距離だけ空けておけば、上皿１２０の凹部１２１内の第２蛇腹管３６２Ａの直下に玉がない場合にだけ、第２蛇腹管３６２Ａの先端から凹部１２１に玉が供給されることになり、そこに玉がある場合には凹部１２１に玉が供給されないようになる。
このようにして、この遊技機補助装置３００は、少なくとも第２蛇腹管３６２Ａの先端付近では第２蛇腹管３６２Ａ内で玉が隙間無く整列していることを利用して、凹部１２１内の玉の量がある程度一定になるようにして玉を凹部１２１に自動的に供給することとしている。これは、従来の遊技機で行う遊技でいえば、玉貸しを無償で行うことに相当する。もっとも、これに代えて、例えば、第２蛇腹管３６２Ａの先端付近に何らかの仕掛を設けることで、一定額の支払いが行われた場合など特定の条件が満たされた場合のみに、凹部１２１に玉が供給されるようにすることも可能である。
【００２８】
遊技機補助装置３００の上部には、着脱機構３７０が設けられている。
着脱機構３７０は、枠体２００を本体部３１０に対して着脱自在に固定するためのものである。
上述したように、横部材３１３は、その先端を持上げて、横部材３１３の背後を露出させられるようになっている。横部材３１３を持上げて、露出させられた着脱機構３７０を正面から見た状態を、図１５に示す。
【００２９】
着脱機構３７０は、断面コの字型に形成され、その開口を下向きとした固定本体部３７１と、上下方向での移動を行えるようにして固定本体部３７１に取付けられた可動部材３７２とを備えている。
固定本体部３７１の両端は、縦部材３１１に固定され、それにより本体部３１０への着脱機構３７０の固定がなされている。
固定本体部３７１の内部の両端部近辺には、図１６の断面図に示したように、この実施形態では円筒形とされた中空の２つのガイド部材３７１Ａが設けられている。ガイド部材３７１Ａはその上端部が、ガイド部材３７１Ａの内部の孔の軸が鉛直方向となるようにして、固定本体部３７１の上側の部分の内側面に固定されている。
固定本体部３７１の内部には、楕円形を長径と短径とに沿って４分割したうちの一つの形状に近い形状とされたカム３７１Ｂが設けられている。このカム３７１Ｂは、固定本体部３７１をその幅方向で貫く軸３７１Ｃを中心として９０度回転できるようにされており、また、その短径が略鉛直となる向きになった位置（図１７（ａ）に示された位置）と、その長径が略鉛直となる向きになった位置（図１７（ｂ）に示された位置）という２つの位置で固定できるようにされている。その固定を可能とするために、その弧の長径と交わる部分と、その弧の短径と交わる部分に直線的な部分を作ってある。なお、これら直線的部分がカム３７１Ｂを固定する際にどのように機能するかについては後述する。カム３７１Ｂは、軸３７１Ｃを介してレバー３７１Ｄに接続されており、レバー３７１Ｄを図１５の矢印で示したように回転させる操作に伴って回転するようになっている。
【００３０】
可動部材３７２は、略コの字型に形成され、固定本体部３７１の内側にその開口が上向きになるようにして嵌め込まれた可動本体部３７２Ａを備えている。可動本体部３７２Ａの両端には、ガイド部材３７１Ａの内側面に対応する外側面を有する、円筒形とされた中空の突出部３７２Ｂが設けられている。２つの突出部３７２Ｂはともに、ガイド部材３７１Ａの内側に挿入されており、ガイド部材３７１Ａに案内されるようになっている。これにより、可動部材３７２の固定本体部３７１に対する移動方向が上下方向のみに規制されることとなる。突出部３７２Ｂの内部の中空部分は、円筒形とされている。２つの突出部３７２Ｂの上側の部分の中心には、孔３７２Ｂａが空けられている。
また、固定本体部３７１と可動部材３７２の可動本体部３７２Ａとは、第１バネ３７２Ｃによって接続されている。この第１バネ３７２Ｃは、力をかけていない状態からかなり伸ばした状態で、その両端を固定本体部３７１と可動本体部３７２Ａにそれぞれ接続されている。これにより、可動部材３７２には常に、固定本体部３７１の内部に引き込まれるような力がかかることになる。これにより、カム３７１Ｂの先端が、可動本体部３７２Ａの下側の部材の上側の面に当接した状態が常に保たれることになる。なお、可動本体部３７２Ａのカム３７１Ｂと当接する部分には、補強を目的とした板状の当接材３７２Ｄが設けられている。
カム３７１Ｂは、当接材３７２Ｄに対して図１７の（ａ）状態と、図１７（ｂ）の状態となったときに、その弧の長径と交わる部分と、短径と交わる部分に作ってある直線的な部分が当接して安定した状態となる。これにより、カム３７１Ｂは、図１７（ａ）の状態と、図１７（ｂ）の状態となったときに安定して固定された状態となる。
【００３１】
可動部材３７２の両端には、また、押圧部材３７３が取付けられている。
２つの押圧部材３７３はともに、断面略コの字状に形成され、その上向きにされた開口で固定本体部３７１を下側から跨ぐようにされた押圧部３７３Ａと、押圧部３７３Ａの下側の部分の上側の面から突出しており、突出部３７２Ｂの内部の中空部分に挿入することのできる棒状の軸部材３７３Ｂを有している。
押圧部３７３Ａの下側の面には、ゴム製のゴムマット３７３Ｄが取付けられている。このゴムマット３７３Ｄは、枠体２００の押圧部３７３Ａ上面への食いつきを良くするためのものである。
軸部材３７３Ｂは、突出部３７２Ｂに挿入され、突出部３７２Ｂの孔３７２Ｂａを貫通している。軸部材３７３Ｂの先端には、孔３７２Ｂａから軸部材３７３Ｂが抜け落ちるのを防止するための、孔３７２Ｂａより大径とされたストッパ３７３Ｂａが設けられている。軸部材３７３Ｂの外周に沿うようにして、第２バネ３７３Ｃが配されている。第２バネ３７３Ｃはその一端が突出部３７２Ｂの内部の中空部分の最上部に、その他端が押圧部３７３Ａの下側の部分の上側の面に当接しており、常に下向きに付勢されるようになっている。
【００３２】
次いで、この着脱機構３７０の使用方法について説明する。
着脱機構３７０と、両側の縦部材３１１と、テーブル３１６に囲まれた空間に、遊技機１００の固定された枠体２００を嵌め込む。このとき、枠体２００は、枠体２００の下面がテーブル３１６の上側の面に当接するようにして、テーブル３１６上に載置される。
なお、このとき、レバー３７１Ｄは、カム３７１Ｂが、図１７（ａ）に示された位置に位置するようにされている。この状態では、カム３７１Ｂの弧の短径と交わる部分が、可動部材３７２の当接材３７２Ｄに当接している。
次いでレバー３７１Ｄを操作して、カム３７１Ｂを回転させる。これにより、カム３７１Ｂは、図１７（ｂ）に示された位置に位置することになる。この状態では、カム３７１Ｂの弧の長径と交わる部分が、可動部材３７２の当接材３７２Ｄに当接することになる。カム３７１Ｂが回転し、第１バネ３７２Ｃからの力に抗して当接材３７２Ｄが押し下げられるのに伴って、可動部材３７２の全体が押し下げられて下方向に移動する。なお、この可動部材３７２の移動は、突出部３７２Ｂがガイド部材３７１Ａにより案内されることにより、鉛直方向の移動となる。
可動部材３７２の下方向への移動に伴って、押圧部材３７３も下方向に移動する。これにより、押圧部材３７３のゴムマット３７３Ｄの下側の面が、枠体２００の上面を押圧する。このとき、押圧部材３７３のゴムマット３７３Ｄの下側の面は、枠体２００の上面の両端部近辺に当接する。このようにして、枠体２００が上下から挟まれた状態で固定される。
なお、このとき、枠体２００の上下方向の長さに誤差があり、枠体２００の上面の位置が予定された位置よりも上側にあったとしても、枠体２００の固定には問題は生じない。そのような場合には、押圧部材３７３が、第２バネ３７３Ｃからの付勢力に抗して多少上方向に移動するからである。このように、押圧部材３７３は枠体２００の上下方向の長さの誤差を吸収する。
【００３３】
枠体２００の固定を解除する場合には、レバー３７１Ｄを上述の場合と逆方向に回転させればよい。そうすると、カム３７１Ｂが回転し、カム３７１Ｂの弧の短径と交わる部分が、可動部材３７２の当接材３７２Ｄに当接することになる。このとき、第１バネ３７２Ｃから可動部材３７２に働く力によって、可動部材３７２は上方向に移動する。これに伴って、押圧部材３７３も上方向に移動して、枠体２００の固定が解除される。
【００３４】
遊技機補助装置３００の横部材３１３の正面には、表示装置３８０が設けられている。この表示装置３８０は、図１８に示したようなものであり、使用玉数表示部３８１、賞球数表示部３８２、外れ玉数表示部３８３を備えている。
使用玉数表示部３８１、賞球数表示部３８２、外れ玉数表示部３８３は、使用玉数、賞球数、外れ玉数をそれぞれ可変に表示するものであり、例えば、液晶ディスプレイによって構成することができる。使用玉数、賞球数、外れ玉数が表示される仕組については、後述する。
なお、この実施形態の表示装置３８０には、リセットボタン３８４が設けられている。これは、使用玉数表示部３８１、賞球数表示部３８２、外れ玉数表示部３８３がそれぞれ表示している、使用玉数、賞球数、外れ玉数を０に戻すものである。
【００３５】
以上説明した遊技機補助装置３００は、使用玉センサ、賞球センサ、外れ玉センサを備えている。なお、各センサの図示は省略する。
使用玉センサは、第２玉溜め３６０から上皿１２０へ導かれた玉（通常であれば、遊技のために貸し出された玉（これを、この実施形態では、「使用玉」と呼ぶこととする。）に相当する。）の数を検出するためのセンサである。使用玉センサは、第２玉溜め３６０から上皿１２０へ導かれた玉の数を検出することのできる位置であればどこに取付けられていても構わない。この実施形態で言えば、使用玉センサは、第２玉溜め３６０から上皿１２０へと玉を導く、玉供給部３６２か、第２蛇腹管３６２Ａのいずれかの位置に取付ければよい。この実施形態では、第２蛇腹管３６２Ａの縦部材３１１の中に内蔵されている部分に、使用玉センサが取付けられている。この実施形態における使用玉センサは、近接センサであり、その傍を玉が通過したときにそれを検出する。使用玉センサは、使用玉の数を検出して、それについての使用玉数データを所定のタイミングで表示装置３８０に図示せぬ接続線を介して送る。
賞球センサは、遊技機１００が備える下皿１３０の落下孔１３２から落下して第１玉溜め３３０に導かれた玉（遊技の結果生じた賞球（これを、この実施形態では、「賞球」と呼ぶこととする。）に相当する。）の数を検出するためのセンサである。賞球センサは、落下孔１３２から第１玉溜め３３０へ導かれた玉の数を検出することのできる位置であればどこに取付けられていても構わない。この実施形態で言えば、賞球センサは、孔３２１か、第１接続樋３２２のいずれかの位置に取付けられればよい。この実施形態では、第１接続樋３２２の最も第１玉溜め３３０寄りの位置に、賞球センサが取付けられている。この実施形態における賞球センサは、近接センサであり、その傍を玉が通過したときにそれを検出する。賞球センサは、賞球の数を検出して、それについての賞球数データを所定のタイミングで表示装置３８０に図示せぬ接続線を介して送る。
外れ玉センサは、遊技機１００が備える外れ玉排出口１１２から第１玉溜め３３０へ導かれた玉（遊技の結果生じた外れ玉（これを、この実施形態では、「外れ玉」と呼ぶこととする。）に相当する。）の数を検出するためのセンサである。外れ玉センサは、外れ玉排出口１１２から第１玉溜め３３０へ導かれた玉の数を検出することのできる位置であればどこに取付けられていても構わない。この実施形態で言えば、外れ玉センサは、外れ玉受け３４０のいずれかの位置に取付けられればよい。この実施形態では、外れ玉受け３４０が備える落下筒３４１に外れ玉センサが取付けられている。この実施形態における外れ玉センサは、近接センサであり、その傍を玉が通過したときにそれを検出する。外れ玉センサは、外れ玉の数を検出して、それについての外れ玉数データを所定のタイミングで表示装置３８０に図示せぬ接続線を介して送る。
使用玉センサ、賞球センサ、外れ玉センサはいずれも、複数個のセンサからなっていても構わず、また、例えば、オムロン株式会社製の通過センサ（品番：ＴＬ−ＰＰ１５３）により構成することができる。
【００３６】
以上のような遊技機補助装置３００の使用方法、及び動作を以下説明する。
遊技機補助装置３００を用いて遊技機１００で継続的な遊技の実行を行うにあたっては、まず、遊技機補助装置３００への遊技機１００の固定を行う。この場合には、遊技機１００をまず枠体２００へ固定し、次いで遊技機１００の固定された枠体２００を遊技機補助装置３００へ固定する。枠体２００の遊技機補助装置３００への固定は、上述のように、横部材３１３の下端を横部材３１３の回動によって上方に持上げた状態で、レバー３７１Ｄを操作することにより行う。
なお、遊技機補助装置３００は、遊技機１００の取付け前、或いは後に適当な場所に移動させておく。
【００３７】
次いで、上述した第１蛇腹管の両端をそれぞれ、遊技機補助装置３００の玉供給部３６１と、遊技機１００の賞球補給口に接続する。また、上述した第２蛇腹管３６２Ａの一端を、遊技機補助装置３００の玉供給部３６２と接続する。
次いで、第２蛇腹管３６２Ａの他端を、遊技機補助装置３００の上皿１２０の凹部１２１の底面から１、２ｃｍ程度離した位置に臨ませる。
この状態では、玉は、第１玉溜め３３０と第２玉溜め３６０に溜まった状態となっており、遊技機１００の内部には存在しない。
【００３８】
その後、遊技機補助装置３００と遊技機１００の間で玉を循環させながら、遊技が実行される。なお、玉の動きの理解のために、玉の動きを、遊技機補助装置３００と、遊技機１００の構成を簡略化して記載した図１９を参照されたい。
【００３９】
遊技機補助装置３００を駆動させると、賞球となるべき玉は、第２玉溜め３６０から、第１蛇腹管を経て遊技機１００の賞球補給口へと導かれ、遊技機１００の内部に至る。賞球となるべき玉は、遊技が実行され所定の条件が満たされるまでそのまま遊技機１００内に留まる。また、使用玉となるべき玉は、第２玉溜め３６０から、第２蛇腹管３６２Ａを介して遊技機１００の上皿１２０の凹部１２１へ至る。なお、この上皿１２０へ至った玉の数は、使用玉センサによって計数され、そのデータが表示装置３８０へと送られる。
表示装置３８０は、そのデータに基づいて、使用玉数表示部３８１に、使用玉数をリアルタイムで表示する。
凹部１２１へ至った玉は、案内路１２４へ経て発射装置１２５へ至る。遊技者が、ハンドル１２６を操作することにより発射装置１２５がＯＮ状態となり、玉が遊技盤１１０へ向かって射出される。
【００４０】
遊技盤１１０に玉が射出されることにより、遊技が実行される。遊技が実行されると、賞球と外れ玉が生じる。
賞球は、賞球排出口１２２から上皿１２０の凹部１２１に排出される。凹部１２１にある玉の量が所定の量以上である場合には、賞球は連通路１３１を通って下皿１３０に至る。下皿１３０に至った玉は、遊技者が操作した場合には落下孔１３２から落下して玉受け３２０に至り、玉受け３２０の孔３２１から、第１接続樋３２２を介して第１玉溜め３３０に導かれる。このとき、落下孔１３２から第１玉溜め３３０に導かれた玉の数は、賞球センサによって計数され、そのデータが表示装置３８０へと送られる。表示装置３８０は、そのデータに基づいて、賞球数表示部３８２に、賞球数をリアルタイムで表示する。
外れ玉は、外れ玉取入口１１１から遊技機１００内部に入り、外れ玉排出口１１２を通って外れ玉受け３４０に至る。外れ玉受け３４０に至った玉は、落下筒３４１内を落下して第１玉溜め３３０に至る。このとき、外れ玉排出口１１２から第１玉溜め３３０に導かれた玉の数は、外れ玉センサによって計数され、そのデータが表示装置３８０へと送られる。表示装置３８０は、そのデータに基づいて、外れ玉数表示部３８３に、外れ玉数をリアルタイムで表示する。
【００４１】
第１玉溜め３３０に溜まった玉は、第２玉溜め３６０へと移送される。
第１玉溜め３３０から、第２玉溜め３６０への玉の移送は、玉揚げ機構３５０がガイド３５１を通して行う。玉は、ここで研磨材５１３により研磨される。
第２玉溜め３６０へ導かれた玉は、玉供給部３６１から第１蛇腹管３６１Ａ（図１９のみに、図示した。）を介して、遊技機１００の賞球補給口に導かれ、遊技機内１００に至る。或いは、第２玉溜め３６０へ導かれた玉は、玉供給部３６２から第２蛇腹管３６２Ａを介して、遊技機１００の上皿１２０に至る。
【００４２】
このようにして、遊技機補助装置３００と、遊技機１００との間での玉の循環が実現される。
また、遊技者、或いは遊技を管理する者は、遊技者が行った遊技の内容を、表示装置３８０に表示された内容により知ることができる。この内容は、遊技を管理する者が、遊技者に対して遊技の結果に応じた課金を行ったり、景品を提供したりするための情報として利用することができる。
なお、この実施形態では、使用玉センサ、賞球センサ、外れ玉センサからの出力はいずれも、表示装置３８０にのみ送られるようになっていたが、これら出力の１つ、或いは複数が、遊技機補助装置３００の外部に、有線又は無線で送られるようになっていても構わない。
【図面の簡単な説明】
【００４３】
【図１】本実施形態による遊技機補助装置と組合わせて用いられる遊技機。
【図２】図１に示した遊技機の上皿を示す平面図。
【図３】図１に示した遊技機が備える遊技盤の下部近辺の内部構造を示す断面図。
【図４】図１に示した遊技機を固定するために用いる枠体を示す斜視図。
【図５】本実施形態による遊技機補助装置を右斜め前方から見た状態を示す斜視図。
【図６】図５に示した遊技機補助装置を左斜め前の上方から見た状態を示す斜視図。
【図７】図５に示した遊技機補助装置を左斜め後方から見た状態を示す斜視図。
【図８】図５に示した遊技機補助装置が備えるガイドの構成を示す斜視図。
【図９】図５に示した遊技機補助装置が備えるガイドが備えるスペーサーの構成を示す平面図。
【図１０】図５に示した遊技機補助装置が備える研磨具の構成を示す斜視図。
【図１１】図１０に示した研磨具がガイドに取付けられた状態を示す斜視図。
【図１２】図１０に示した研磨具が取付けられた部分のガイドの断面図。
【図１３】研磨具の変形例を示す断面図。
【図１４】研磨具の他の変形例を示す断面図。
【図１５】図５に示した遊技機補助装置が備える着脱機構の正面図。
【図１６】図１５に示した着脱機構の内部構造を示す側断面図。
【図１７】図１５に示した着脱機構の内部構造を示す一部破断図を含む正面図。
【図１８】図５に示した遊技機補助装置が備える表示装置を示す正面図。
【図１９】図５に示した遊技機補助装置と、図１に示した遊技機の間での玉の移動状態を概略で示す図。
【符号の説明】
【００４４】
１００  遊技機
１１０  遊技盤
１１１  外れ玉取入口
１１２  外れ玉排出口
１１３  外れ玉移送管
１２０  上皿
１２１  凹部
１２２  賞球排出口
１２５  発射装置
１２６  ハンドル
１３０  下皿
１３１  連通路
１３２  落下孔
２００  枠体
３００  遊技機補助装置
３１０  本体部
３１１  縦部材
３１３  横部材
３１４  横部材
３１５  横部材
３２０  玉受け
３２２  第１接続樋
３３０  第１玉溜め
３４０  外れ玉受け
３４１  落下筒
３５０  玉揚げ機構
３５１  ガイド
３５１Ａ  棒状体
３５１Ｂ  スペーサー
３６１  玉供給部
３６１Ａ  第１蛇腹管
３６２  玉供給部
３６２Ａ  第２蛇腹管
３７０  着脱機構
３８０  表示装置
５００  研磨具
５１０  第１部材
５１３  研磨材
５２０  第２部材
【図１】
2007160020.tif 000003
【図２】
2007160020.tif 000004
【図３】
2007160020.tif 000005
【図４】
2007160020.tif 000006
【図５】
2007160020.tif 000007
【図６】
2007160020.tif 000008
【図７】
2007160020.tif 000009
【図８】
2007160020.tif 000010
【図９】
2007160020.tif 000011
【図１０】
2007160020.tif 000012
【図１１】
2007160020.tif 000013
【図１２】
2007160020.tif 000014
【図１３】
2007160020.tif 000015
【図１４】
2007160020.tif 000016
【図１５】
2007160020.tif 000017
【図１６】
2007160020.tif 000018
【図１７】
2007160020.tif 000019
【図１８】
2007160020.tif 000020
【図１９】
2007160020.tif 000021